(57)【要約】【課題】  急な天候の変化に対しても速やかに対応できると共に、物干し竿全体を覆って洗濯物が雨に濡れるのを防止することができる雨避け器具及びこれに用いられるカバー、伸長カバー及びカバー支持具を提供すること。【解決手段】  物干し竿１２の上方を覆うと共に、第１着脱部と第２着脱部との係合によって第１カバー部２６と第２カバー部２７とに着脱可能な着脱手段３を有するカバー２と、物干し竿１２に固定されると共に、カバー２を支持するカバー支持具４と、着脱手段３の第２着脱部と係合可能な伸長用第１着脱部と、着脱手段の第１着脱部と係合可能な伸長用第２着脱部と、を有する伸長カバーと、を具備する。【選択図】        図１
2006247321.tif 000002
【特許請求の範囲】
【請求項１】
物干し竿の上方を覆うと共に、第１着脱部と第２着脱部との係合によって第１カバー部と第２カバー部とに着脱可能な着脱手段を有するカバーと、
前記物干し竿に固定されると共に、前記カバーを支持するカバー支持具と、
を具備することを特徴とする雨避け器具。
【請求項２】
前記カバーは、前記カバー内を通気する窓を開口するための開口手段を有することを特徴とする請求項１記載の雨避け器具。
【請求項３】
前記着脱手段の前記第２着脱部と係合可能な伸長用第１着脱部と、前記着脱手段の前記第１着脱部と係合可能な伸長用第２着脱部と、を有する伸長カバーを具備することを特徴とする請求項１又は２記載の雨避け器具
【請求項４】
前記着脱手段は、ファスナーによって形成されることを特徴とする請求項１ないし３のいずれかに記載の雨避け器具。
【請求項５】
前記カバー支持具は、
前記物干し竿を挟持する挟持部と、前記挟持部を開閉操作するための把持部とを有する一対の挟み片と、
前記一対の挟み片の中間部分を回動可能に連結する回動部と、
前記挟持部同士が当接する方向に弾性力を付勢する弾性力付勢手段と、
前記一対の挟み片のそれぞれに挟持方向と逆方向に伸長して設けられ、前記カバーを支持する支持部と、
からなることを特徴とする請求項１ないし４のいずれかに記載の雨避け器具。
【請求項６】
物干し竿の上方を覆うカバーであって、
第１着脱部と第２着脱部との係合によって第１カバー部と第２カバー部とに着脱可能な着脱手段を有することを特徴とするカバー。
【請求項７】
前記着脱手段は、ファスナーによって形成されることを特徴とする請求項６記載のカバー。
【請求項８】
前記カバー内を通気する窓を開口するための開口手段を具備することを特徴とする請求項７記載のカバー。
【請求項９】
前記物干し竿の上方を覆う上部シートと、
前記上部シートの端部から垂下して前記物干し竿の長手方向の側方を覆う長手側部シートと、
前記上部シートの端部から垂下して前記物干し竿の短手方向の側方を覆う短手側部シートと、
前記長手側部シートと前記短手側部シートの境界に設けられ、前記長手側部シートと前記短手側部シートとを着脱可能な開閉手段と、
からなることを特徴とする請求項６ないし８のいずれかに記載のカバー。
【請求項１０】
物干し竿の上方を覆うと共に、第１着脱部と第２着脱部との着脱によって着脱可能な着脱手段を有するカバーを伸長させるための伸長カバーであって、
前記着脱手段の前記第２着脱部と係合可能な伸長用第１着脱部と、
前記着脱手段の前記第１着脱部と係合可能な伸長用第２着脱部と、
を具備することを特徴とする伸長カバー。
【請求項１１】
物干し竿の上方を覆うカバーを支持するカバー支持具であって、
前記物干し竿に着脱可能な挟持部と、
前記カバーを支持する支持部と、
を具備することを特徴とするカバー支持具。
【請求項１２】
物干し竿の上方を覆うカバーを支持するカバー支持具であって、
前記物干し竿を挟持する挟持部と、前記挟持部を開閉操作するための把持部とを有する一対の挟み片と、
前記一対の挟み片の中間部分を回動可能に連結する回動部と、
前記挟持部同士が当接する方向に弾性力を付勢する弾性力付勢部と、
前記一対の挟み片のそれぞれに挟持方向と逆方向に伸長して設けられ、前記カバーを支持する支持部と、
を具備することを特徴とするカバー支持具。
【請求項１３】
前記支持部の先端部下部から前記挟み片の外側側部に斜めに延びて結合した補強部を有することを特徴とする請求項１２記載のカバー支持具。
【発明の詳細な説明】
【技術分野】
【０００１】  この発明は、物干し竿に干された洗濯物が雨に濡れるのを防止する雨避け器具及びこれに用いられるカバー、伸長カバー及びカバー支持具に関するものである。
【背景技術】
【０００２】  従来、洗濯機等で洗濯した洗濯物は、物干し台上に橋架された物干し竿に物干しハンガー等で洗濯物を吊持し、屋外で干す方法が広く普及している。しかしながら、このような方法では、急な天候の変化により雨などが降ると、洗濯物が濡れてしまうという問題があった。これを解決するために、物干しハンガーに着脱自在に着用セットするオーバーコート形態で、物干しハンガーのフック部を中央部上部から突き出してハンガーの上部を覆う布傘部と、この布傘部の下縁に一体に連設して吊り下げた小網目布のスカート部と、からなる物干しハンガー用カバーコートがある。（例えば、特許文献１）。この物干しハンガー用カバーコートは、この布傘部とスカート部の縦方向の合わせ縁を接合したり開放したりすることによって開閉することができる。したがって、ハンガーに着用セットして合わせ縁を閉じ、スカート部がなす中空部に洗濯物を収納保護して、そのまま干すことができる。
【特許文献１】特開２０００−５１５８１（第１図）
【発明の開示】
【発明が解決しようとする課題】
【０００３】  しかしながら、このような物干しハンガー用カバーコートは、ハンガーごとに用いるものであるため、着脱が面倒であり、急に雨が降ってきた場合等に即座に対応することができないという問題があった。また、干せる洗濯物の種類や数に限りがあるという問題もあった。【０００４】  そこで本発明は、急な天候の変化に対しても速やかに対応できると共に、物干し竿全体を覆って洗濯物が雨に濡れるのを防止することができる雨避け器具及びこれに用いられるカバー、伸長カバー及びカバー支持具を提供することを目的とする。
【課題を解決するための手段】
【０００５】  上記目的を達成するために、本発明の雨避け器具は、物干し竿の上方を覆うと共に、第１着脱部と第２着脱部との係合によって第１カバー部と第２カバー部とに着脱可能な着脱手段を有するカバーと、前記物干し竿に固定されると共に、前記カバーを支持するカバー支持具と、を具備することを特徴とする。この場合、前記カバーは、前記カバー内を通気する窓を開口するための開口手段を有する方が好ましい。また、前記着脱手段の前記第２着脱部と係合可能な伸長用第１着脱部と、前記着脱手段の前記第１着脱部と係合可能な伸長用第２着脱部と、を有する伸長カバーを具備する方が好ましい。また、前記着脱手段は、ファスナーによって形成される方が好ましい。また、前記カバー支持具は、前記物干し竿を挟持する挟持部と、前記挟持部を開閉操作するための把持部とを有する一対の挟み片と、前記一対の挟み片の中間部分を回動可能に連結する回動部と、前記挟持部同士が当接する方向に弾性力を付勢する弾性力付勢手段と、前記一対の挟み片のそれぞれに挟持方向と逆方向に伸長して設けられ、前記カバーを支持する支持部と、からなる方が好ましい。【０００６】  また、本発明のカバーは、第１着脱部と第２着脱部との係合によって第１カバー部と第２カバー部とに着脱可能な着脱手段を有することを特徴とする。この場合、前記着脱手段は、ファスナーによって形成される方が好ましい。また、前記カバー内を通気する窓を開口するための開口手段を具備する方が好ましい。また、前記物干し竿の上方を覆う上部シートと、前記上部シートの端部から垂下して前記物干し竿の長手方向の側方を覆う長手側部シートと、前記上部シートの端部から垂下して前記物干し竿の短手方向の側方を覆う短手側部シートと、前記長手側部シートと前記短手側部シートの境界に設けられ、前記長手側部シートと前記短手側部シートとを着脱可能な開閉手段と、からなる方が好ましい。【０００７】  また、本発明の伸長カバーは、物干し竿の上方を覆うと共に、第１着脱部と第２着脱部との着脱によって着脱可能な着脱手段を有するカバーを伸長させるための伸長カバーであって、前記着脱手段の前記第２着脱部と係合可能な伸長用第１着脱部と、前記着脱手段の前記第１着脱部と係合可能な伸長用第２着脱部と、を具備することを特徴とする。【０００８】  また、本発明のカバー支持具は、物干し竿の上方を覆うカバーを支持するカバー支持具であって、前記物干し竿に着脱可能な着脱部と、前記カバーを支持する支持部と、を具備することを特徴とする。この場合、前記物干し竿を挟持する挟持部と、前記挟持部を開閉操作するための把持部とを有する一対の挟み片と、前記一対の挟み片の中間部分を回動可能に連結する回動部と、前記挟持部同士が当接する方向に弾性力を付勢する弾性力付勢部と、前記一対の挟み片のそれぞれに挟持方向と逆方向に伸長して設けられ、前記カバーを支持する支持部と、を具備する方が好ましい。また、前記支持部の先端部下部から前記挟み片の外側側部に斜めに延びて結合する補強部を有する方が好ましい。
【発明の効果】
【０００９】  本発明によれば、物干し竿の上方を覆うと共に、第１着脱部と第２着脱部との係合によって第１カバー部と第２カバー部とに着脱可能な着脱手段を有するカバーと、物干し竿に固定されると共に、カバーを支持するカバー支持具と、を具備するので、晴れている際には、着脱手段を用いて第１カバー部と第２カバー部とに分離して、物干し竿の端に片付けておくことができ、雨が降った際には、着脱手段を用いて速やかに第１カバー部と第２カバー部とを継合し、物干し竿に干されている洗濯物が雨に濡れるのを防止することができる。【００１０】  また、本発明のカバーは、第１着脱部と第２着脱部との係合によって第１カバー部と第２カバー部とに着脱可能な着脱手段を有するので、急な天候の変化に対しても即座に第１カバー部と第２カバー部とを継合し、物干し竿に干されている洗濯物が雨に濡れるのを防止することができる。【００１１】  また、本発明のカバーが有する着脱手段は、ファスナーによって形成されるので、更に急な天候の変化に対しても即座に第１カバー部と第２カバー部とを継合し、物干し竿に干されている洗濯物が雨に濡れるのを防止することができる。【００１２】  また、本発明のカバーは、カバー内を通気する窓を開口するための開口手段を有するので、洗濯物が乾燥する時間を短縮することができる。【００１３】  また、本発明のカバーは、物干し竿の上方を覆う上部シートと、上部シートの端部から垂下して物干し竿の長手方向の側方を覆う長手側部シートと、上部シートの端部から垂下して物干し竿の短手方向の側方を覆う短手側部シートと、長手側部シートと短手側部シートの境界に設けられ、長手側部シートと短手側部シートとを着脱可能な開閉手段と、からなるので、物干し台と干渉することなくカバーを物干し台に装着することができる。【００１４】  また、本発明の伸長カバーは、着脱手段の第２着脱部と係合可能な伸長用第１着脱部と、着脱手段の第１着脱部と係合可能な伸長用第２着脱部と、を有する伸長カバーを具備するので、物干し竿の長さに合わせてカバーの長さを自由に変更することができる。【００１５】  また、本発明のカバー支持具は、物干し竿を挟持する挟持部と、挟持部を開閉操作するための把持部とを有する一対の挟み片と、一対の挟み片の中間部分を回動可能に連結する回動部と、挟持部同士が当接する方向に弾性力を付勢する弾性力付勢手段と、一対の挟み片のそれぞれに挟持方向と逆方向に伸長して設けられ、カバーを支持する支持部と、からなるので、カバーを支持するカバー支持具を物干し竿に簡単に着脱することができる。【００１６】  また、本発明のカバー支持具は、支持部の先端部下部から挟み片の外側側部に斜めに延びて結合する補強部を有するので、カバー支持部の強度を向上することができる。
【発明を実施するための最良の形態】
【００１７】  以下に、本発明の実施の形態を、図１ないし図７に基づいて詳細に説明する。【００１８】  本発明の雨避け器具１は、図１に示すように、物干し竿１１に掛けられている洗濯物が雨に濡れるのを防止するために物干し竿１１の上方を覆うカバー２と、このカバー２を物干し竿１１の上部に支持するカバー支持具４と、で主に構成される。【００１９】  カバー２は、少なくとも物干し竿１１の上方を覆うものであればどのようなものでも良いが、例えば図１に示すように、物干し竿１１の上方を覆う上部シート２１と、この上部シート２１の端部から垂下して物干し竿１１の側方を覆う側部シート２２と、上部シート２１と側部シート２２の少なくともいずれか一方に設けられ、カバー２内を通気する窓２４を開口するための開口手段２３（図２参照）と、で構成される。【００２０】  上部シート２１は、雨が上部シート２１上に溜まらない構造であればどのようなものでも良く、例えば、カバー２の長手方向に見て、上に凸のアーチ状に形成される。また、上部シート２１の短手方向の長さは、物干し竿１１に干されている洗濯物が濡れないよう、少なくとも一般的なハンガーの幅（大きさ）以上に形成される。【００２１】  側部シート２２は、カバー２の長手方向（物干し竿１１の長手方向）に用いられる長手側部シート２２ａと、カバー２の短手方向に用いられる短手側部シート２２ｂとからなる。また、側部シート２２の垂直方向の長さは、任意の長さに形成され、例えば、洗濯物が雨に濡れない長さとすれば良い。また、長手側部シート２２ａと短手側部シート２２ｂとの境目には、図１に示すように、マジックテープ等の開閉手段２５が設けられており、長手側部シート２２ａと短手側部シート２２ｂとの境界を開閉することができる。これにより、物干し台１２と干渉することなくカバー２を物干し台１２に装着させることができる。なお、開閉手段２５は、マジックテープである必要はなく、例えばファスナーやボタン等を用いることも勿論可能である。【００２２】  また、上部シート２１の短手側部シート２２ｂ側には、後述するカバー支持具４の支持部４６を固定する固定部、例えば支持部４６を包持可能な袋状のポケットを形成する方が好ましい（図示せず）。【００２３】  開口手段２３としては、例えば図２に示すように、短手側部シート２２ｂの内側に略コ字状に設けられた一対のマジックテープ２３ｂと、短手側部シート２２ｂの外側に平行に設けられた一対のマジックテープ２３ａとが用いられる。そして、マジックテープ２３ｂを外し、短手側部シート２２ｂの中央部を上方に折り曲げてマジックテープ２３ａで留めることにより、カバー２内を通気する窓２４を形成することができる。また、開口手段としては、短手側部シート２２ｂの逆Ｕ字状縁部に沿って設けられたマジックテープを用いて下側に折り曲げる構成としても良い。なお、窓２４を形成できるものであればマジックテープである必要はなく、例えばファスナーやボタン等を用いることも勿論可能である。また、開口手段２３をカバー２の短手側部シート２２ｂに設ける旨説明したが、開口手段２３は、カバー２内の通気を良くする窓を形成できるものであればどこに設けてもよく、カバー２の長手側部シート���２ａに設けたり、上部シート２１に設けたりすることも勿論可能である。【００２４】  また、カバー２の材質は、防水性を有するものであればどのようなものでも良く、例えば、ポリエステル製のものを用いることができる。また、カバー２は、撥水性を有する方が好ましく、例えばフッ素樹脂等によりコーティングされたものを用いることができる。【００２５】  また、カバー２は、図１、図３に示すように、長手方向と直行する方向に着脱手段３を有しており、第１カバー部２６と第２カバー部２７とに分離することができる。【００２６】  着脱手段３は、第１着脱部３１と第２着脱部３２との係合によって着脱可能に形成されるもので、例えば、一方の長手側部シート２２ａから上部シート２１を介して、他方の長手側部シート２２ａに連続するファスナーを用いることができる。なお、着脱手段３は、第１着脱部３１と第２着脱部３２との係合によって着脱可能に形成されるものであればどのようなものでも良く、例えばマジックテープやボタン等を用いても良い。【００２７】  カバー支持具４は、図４に示すように、カバー２を支えることのできる洗濯ばさみ状の支持具であって、物干し竿１１を挟持する挟持部４１と、この挟持部４１を開閉操作するための把持部４２とを有する一対の挟み片４３と、これら一対の挟み片４３の中間部分を回動可能に連結する回動部４４と、挟持部４１同士が当接する方向に弾性力を付勢する弾性力付勢手段４５と、一対の挟み片４３のそれぞれに挟持方向と逆方向に伸長して設けられ、カバー２を支持する支持部４６と、から形成される。【００２８】  弾性力付勢手段４５としては、例えば図４に示すように、略Ｃ字状のばね鋼線４０を用いることができる。このばね鋼線４０の本体を、挟み片４３の把持部４２に形成された長孔４７に通し、ばね鋼線４０の両端を挟持部４１の外側に形成された係止穴４８にそれぞれ係止する。この際、ばね鋼線４０のＣ字状の開口の大きさは、挟み片４３の両側に設けられた係止穴４８同士の距離より小さく形成されるので、挟持部４１同士が当接する方向へばね鋼線４０の弾性力が付勢される。なお、弾性力付勢手段４５としては、挟持部４１同士が当接する方向に弾性力を付勢するものであればどのようなものでも良く、その他の構成にすることも勿論可能である。【００２９】  支持部４６は、例えば図４に示すように、一対の挟み片４３の上部から外側にアーチ状に伸びるように形成される。また、支持部４６の両端の長さは、少なくとも一般的なハンガー等の大きさ以上に形成される。支持部４６をこのように形成することによって、支持部４６にカバー２を支持した際に、洗濯物の上方をカバー２で覆うことができるので、洗濯物が雨に濡れるのを防止することができる。また、支持部４６の上面は、カバー２を傷つけたり破ったりしないように、滑らかに形成される方が好ましい。なお、上記説明では、支持部４６をアーチ状に形成する旨説明したが、これに限らず種々の形状を適用することができ、例えば、カバー支持具４を物干し竿１１に固定した際に、水平方向に直線状に延びるように形成しても良い。また、支持部４６の大きさを、物干し台に架橋される複数の物干し竿１１の上部全体に届く大きさにすることも勿���可能である。また、挟み片４３に対する支持部４６の位置はどこでもよく、例えば図５に示すように、挟み片４３の上端部から連続したアーチ状に形成しても良い。更に、支持部４６の耐荷重を大きくするために、例えば支持部４６の先端部下部から挟み片４３の外側側部に斜めに延びて結合する補強部４９を形成することも可能である。【００３０】  また、カバー支持具のばね鋼線４０は、金属等により形成すれば良く、それ以外の部分は、例えばプラスチックや金属等を射出成型により形成すれば良い。【００３１】  カバー支持具４をこのように構成することにより、一対の把持部４２をつまんで把持部４２同士が近接する方向に力を付与すると、一対の挟持部４１が開き、把持部４２に付与している力を除くと、一対の挟持部４１が閉じるので、カバー支持具４を簡単に物干し竿１１に固定することができる。【００３２】  また、物干し竿１１の長さに応じてカバー２の長手方向の長さ（大きさ）を変えるために、物干し竿１１の上方を覆う伸長用上部シート５３と、この伸長用上部シート５３の両端部から垂下して物干し竿１１の側方を覆う伸長用側部シート５４と、カバー２の着脱手段３の第２着脱部３２と係合可能な伸長用第１着脱部５１と、着脱手段３の第１着脱部３１と係合可能な伸長用第２着脱部５２と、を有する伸長カバー５を設けることもできる（図６参照）。【００３３】  伸長用第１着脱部５１および伸長用第２着脱部５２は、一方の伸長用側部シート５４から伸長用上部シート５３を介して、他方の伸長用側部シート５４に連続して、伸長用側部シート５４と伸長用上部シート５３の両端に形成される。例えば、カバー２の着脱手段３がファスナーである場合は、カバー２の第２着脱部３２と伸長カバー５の伸長用第１着脱部５１とで一対のファスナーを構成し、カバー２の第１着脱部３１と伸長カバー５の伸長用第２着脱部５２とで一対のファスナーを構成するように形成すれば良い。【００３４】  また、伸長用第１着脱部５１は、伸長用第２着脱部５２とも係合させることができるので、２つの伸長カバー５同士を着脱することもできる。したがって、物干し竿１１の長さに関わらず、カバー２の長さを１以上の伸長カバー５を用いて、任意の長さに伸長させることができる。【００３５】  なお、着脱手段３がマジックテープである場合にも、カバー２の第２着脱部３２と伸長カバー５の伸長用第１着脱部５１とで一対のマジックテープを構成し、カバー２の第１着脱部３１と伸長カバー５の伸長用第２着脱部５２とで一対のマジックテープを構成するように形成すれば良い。また、着脱手段３は、ボタン等の他のものであっても同様に形成することができる。【００３６】  次に、雨避け器具１の使用方法について説明する。【００３７】  まず、図７に示すように、物干し台１２上に橋架された物干し竿１１の端部にカバー支持具４を固定する。【００３８】  次に、カバー２をカバー支持具４の上方から被せて支持部４６に装着する（図１参照）。これによって、物干し竿１１の上方を覆うことができるので、雨が降っている際に、洗濯物が雨に濡れるのを防止することができる。【００３９】  また、適宜、開口手段２３によって、短手側部シート２２ｂの上部を開放して窓２４を形��し、カバー２内の通気性を向上することもできる。【００４０】  また、晴れている際には、ファスナー（着脱手段３）によって、カバー２を第１カバー部２６と第２カバー部２７とに分離し、それぞれを物干し台側（物干し竿１１の端部側）に寄せておけば、雨避け器具１を簡易に片付けておくことができる。また、突然雨が降ってきた際には、ファスナー（着脱手段３）によって、速やかに第１カバー部２６と第２カバー部２７とを継合させることができるので、急な天候の変化に対しても即座に対応することができる。【００４１】  なお、物干し竿１１の中央部等の任意の場所にカバー支持具４を固定し、カバー２の中央部を補助的に支持するようにしても良い。【００４２】  また、物干し竿１１が長く、カバー２のみでは長さが足りない時には、カバー２の第２着脱部３２と伸長カバー５の伸長用第１着脱部５１とをファスナーで継合し、カバー２の第１着脱部３１と伸長カバー５の伸長用第２着脱部５２とをファスナーで継合する。これにより、カバー２を伸長させることができる。
【図面の簡単な説明】
【００４３】
【図１】  本発明の雨避け器具を示す概略斜視図である。
【図２】  本発明の開口手段を示す（ａ）概略斜視図、（ｂ）概略正面図である。
【図３】  本発明の雨避け器具を示す概略正面図である。
【図４】  本発明のカバー支持具を示す概略斜視図である。
【図５】  本発明の別のカバー支持具を示す概略正面図である。
【図６】  本発明の伸長カバーを用いた雨避け器具を示す概略正面図である。
【図７】  本発明のカバー支持具の取り付け方法を説明する概略斜視図である。
【符号の説明】
【００４４】  １  雨避け器具
２  カバー
３  着脱手段
４  カバー支持具
５  伸長カバー
１１  物干し竿
２１  上部シート
２２ａ  長手側部シート
２２ｂ  短手側部シート
２３  開口手段
２４  窓
２５  開閉手段
２６  第１カバー部
２７  第２カバー部
３１  第１着脱部
３２  第２着脱部
４１  挟持部
４２  把持部
４３  挟み片
４４  回動部
４５  弾性力付勢手段
４６  支持部
４９  補強部
５１  伸長用第１着脱部
５２  伸長用第２着脱部
【図１】
2006247321.tif 000003
【図２】
2006247321.tif 000004
【図３】
2006247321.tif 000005
【図４】
2006247321.tif 000006
【図５】
2006247321.tif 000007
【図６】
2006247321.tif 000008
【図７】
2006247321.tif 000009